(57)【要約】【課題】従来では、表示画面に表示される画像を編集することができるものの、編集された画像と編集前の原画像を同時に比較することができなかった。このことから、原画像に対して編集後の画像がどの程度変化したかを確認するのが難しかった。【解決手段】本発明の電子機器では、表示手段としての表示部１７に表示された画像を編集する機能を備え、編集が施されていない第１の画像３１と、編集が施された第２の画像３２とを同一の表示部１７に表示することができる。従って、編集された画像の変化の度合いを確認しつつ、画像の編集を行うことができる。【選択図】    図５
2005026975.tif 000002
【特許請求の範囲】
【請求項１】
記憶手段と、表示手段と、制御手段とを有し、
前記制御手段は、画像編集指示に応答し、前記記憶手段に記憶された第１画像データに基づく第１画像と、前記第１画像データを編集することにより生成された第２画像データに基づく第２画像とを前記表示手段に表示させることを特徴とする電子機器。
【請求項２】
前記制御手段は、画像編集指示に応答し、前記第１画像データの編集を行う機能とリンクされたアイコンを前記表示手段に表示させることを特徴とする請求項１記載の電子機器。
【請求項３】
前記制御手段は、入力手段のキー配列に対応させて前記アイコンを表示させると共に、前記入力手段の操作に応答し、操作キーに対応するアイコンとリンクされた機能に基づく編集を行うことを特徴とする請求項２記載の電子機器。
【請求項４】
前記制御手段は、前記アイコンが選択されているとき、当該アイコンとリンクされた機能の名称を前記表示手段に表示させることを特徴とする請求項２記載の電子機器。
【請求項５】
前記制御手段は、前記第１画像およぴ前記第２回像を横方向に並列させて上部に表示させ、その下部に前記アィコンを表示させることを特徴とする請求項２記戴の電子機器。
【請求項６】
前記制御手段は、入力手段のキー配列に対応させて前記記憶手段に記憶された画像データに基づくサムネイル画像を表示させると共に、前記入力手段の操作に応答し、操作キーに対応するサムネイル回像に基づく画像データを前記第１画像デ一タとして選択することを特徴とする請求項１記載の電子機器。
【請求項７】
前記制御手段は、前記第１画像および前記第２画像とを表示させているとき、画像編集指示に応答し、前記記憶手段に記憶された第１画像データに基づく第１画像と、前記第２画像データを編集することにより新たに生成された第２画像データに基づく第２画像とを前記表示手段に表示させることを特徴とする請求項１記載の電子機器。
【発明の詳細な説明】
【０００１】
【発明の属する技術分野】
本発明は、画像編集機能を備える電子機器に関するものである。
【０００２】
【従来の技術】
近年、電子機器は小型化、高機能化が進んでいる。例えば、携帯電話機では、画面が大型化し、大量の文字情報や画像を表示出来るようになっている。
【０００３】
すなわち、電子機器において表示画面が大型化し、多くの情報を表示出来るようになると共に、カラー化により画像の表示においても充分実用となるに従い、単なる文字の表示だけでなく、文字と画像の両方を表示することが要望されている。
【０００４】
一方、最近の携帯電話機の中には、撮像レンズおよび入力光を電気信号に変換する撮像素子を備えるカメラが搭載されたいわゆるカメラ付携帯電話機があり、このカメラ付携帯電話機では、記憶容量、画像表示サイズ、カメラの解像度および処理能力が向上している。
【０００５】
また、カメラやネットワークを介して入手した画像を編集する機能を有する携帯電話も登場している（例えば、特許文献１参照。）。
【０００６】
【特許文献１】
特開２００２−１６５００２号公報
【０００７】
【発明が解決しようとする課題】
しかしながら、従来例に示すような技術では、表示画面に表示される画像を編集することができるものの、編集された画像と編集前の原画像とを同時に比較することができなかった。このことから、原画像に対して編集後の画像がどの程度変化したかを確認するのが難しかった。
【０００８】
本発明は、上記した問題点を鑑みて成され、本発明の主な目的は、編集前の画像と編集後の画像を表示手段に同時に表示することができる電子機器を提供することである。
【０００９】
【課題を解決するための手段】
本発明は、記憶手段と、表示手段と、制御手段とを有し、前記制御手段は、画像編集指示に応答し、前記記憶手段に記憶された第１画像データに基づく第１画像と、前記第１画像データを編集することにより生成された第２画像データに基づく第２画像とを前記表示手段に表示させることを特徴とする。従って、編集された画像の変化の度合いを確認しつつ、画像の編集を行うことができる。
【００１０】
更に、本発明は、前記制御手段は、画像編集指示に応答し、前記第１画像データの編集を行う機能とリンクされたアイコンを前記表示手段に表示させることを特徴とする。従って、このアイコンを選択することで、第１画像の編集を行うことができる。
【００１１】
更に、本発明は、前記制御手段は、入力手段のキー配列に対応させて前記アイコンを表示させると共に、前記入力手段の操作に応答し、操作キーに対応するアイコンとリンクされた機能に基づく編集を行うことを特徴とする。従って、入力手段を操作する簡易な方法により、アイコンの選択を行うことができる。
【００１２】
更に、本発明は、前記制御手段は、前記アイコンが選択されているとき、当該アイコンとリンクされた機能の名称を前記表示手段に表示させることを特徴とする。従って、暫定的に選択している機能の詳細を知ることができる。
【００１３】
更に、本発明は、前記制御手段は、前記第１画像およぴ前記第２回像を横方向に並列させて上部に表示させ、その下部に前記アィコンを表示させることを特徴とする。従って、編集前の第１画像および編集後の第２画像を参照しつつ、編集の機能を選択することができる。
【００１４】
更に、本発明は、前記制御手段は、入力手段のキー配列に対応させて前記記憶手段に記憶された画像データに基づくサムネイル画像を表示させると共に、前記入力手段の操作に応答し、操作キーに対応するサムネイル回像に基づく画像データを前記第１画像デ一タとして選択することを特徴とする。従って、入力手段を操作することにより、簡易に第１画像データの選択を行うことができる。
【００１５】
更に、本発明は、前記制御手段は、前記第１画像および前記第２画像とを表示させているとき、画像編集指示に応答し、前記記憶手段に記憶された第１画像データに基づく第１画像と、前記第２画像データを編集することにより新たに生成された第２画像データに基づく第２画像とを前記表示手段に表示させることを特徴とする。従って、複数回の画像編集を行った場合でも、基の画像との比較を行うことができる。
【００１６】
【発明の実施の形態】
以下に、本発明における一実施の形態について、図１から図５を参照にして詳細に説明する。本発明は、任意の電子機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。
【００１７】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。
【００１８】
図１（Ａ）及び（Ｂ）に示す如く、例えば、スピーカ２は携帯電話機１の蓋部内側の上方中央に、マイク３は本体部内側の下方中央にそれぞれ配置されている。また、入力手段としてのキー操作部１８は、例えば、各種機能の決定や選択を行う決定キー１８Ａ、カメラモードを起動させるカメラキー１８Ｂ、電源投入するための電源キー１８Ｃ、各種機能や画像の選択を上下および左右方向に行える十字キー１８Ｄ、メールモードを起動させるメールキー１８Ｅ、数字や文字の入力に主に用いられる数字・文字キー１８Ｆ等から構成されている。
【００１９】
そして、表示手段としての表示部１７は、スピーカ２が配置されている蓋部内側に四角形状で配置されており、第２表示部４は四角い形状で蓋部外側の中央付近に配置されている。更に、撮像部１２は、蓋部外側のヒンジ近くの中央付近に配置され、閉じた状態でも第２表示部４で被写体を確認しながら撮影ができる。また、背面キー４は第２表示部４の下方に配され、閉じた状態でシャッタキーとして使用され、使用者が自らを撮影するのに適している。開いた状態で撮影する場合は、第１表示部１７あるいは第２表示部４で被写体を確認しながら、キー操作部１８のシャッタキーを押下することで撮影することができる。
【００２０】
図２を参照して、本発明の電子機器である携帯電話の電気的構成を説明する。本実施の形態の携帯電話機１は、主に、制御部１１、撮像部１２、画像処理部１３、メモリ１４、表示ドライバ部１６、表示部１７、バックライト２０、キー操作部１８、アンテナ２２、無線部２３、通信制御部２４を備えている。
【００２１】
制御部１１は、携帯電話機１を構成する各部位の動作を制御し、例えば、画像処理部１３、表示部１７、バックライト２０等を制御する。撮像部１２は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。
【００２２】
画像処理部１３は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１から送られてくる制御信号に基づいて、信号処理を施した画像データをメモリ１４に送る。
【００２３】
メモリ１４は、信号処理部から送られてくる画像データを記憶している。また、画像データ以外の情報もメモリ部１４に記憶される。また、メモリ１４は、情報格納用の第１のメモリと、一時的にメモリが格納される第２のメモリとから構成されても良い。例えば、第２のメモリでは、時間的に古い画像データは消去する、あるいは最も新しい画像データを上書きすることで一時的に画像データを記憶する。
【００２４】
制御部１１は、表示ドライバ部１６に制御信号を送信するとともに、メモリ１４に記憶された画像データを、表示ドライバ部１６に送る。表示ドライバ部１６は、表示部１７に表示しようとする画像データに従って、表示部１７の各画素電極に対して駆動電圧を印加する。表示部１７は、液晶ディスプレイおよびＥＬ（Ｅｌｅｃｔｒｏ  Ｌｕｍｉｎｅｓｃｅｎｃｅ）ディスプレイなどで実現され、表示ドライバ部１６を介して送られてくる画像データに基づく画像を表示する。
【００２５】
バックライト２０は、発光素子である発光ダイオードなどから構成され、表示部１７を背面より照明する。バックライト２０の点灯、消灯の制御および輝度調整などの制御は、制御部１１によって行われる。尚、バックライト２０は、使用者によって消灯するための所定の操作が行われるまで点灯する構成としてもよいし、点灯してから所定時間が経過すると消灯する構成としてもよい。
【００２６】
キー操作部１８は、数字および文字を入力するための数字・文字キー１８Ｆキーなどから構成される。数字・文字キー１８Ｆは、３×４に配置されて、使用者の入力が容易なように等間隔にマトリックス状に配置されている。
【００２７】
十字キー１８Ｄは、ポインティングデバイスとして機能し、パーソナルコンピュータのマウスあるいはパッドに相当する機能を有する。従って、十字キー１８Ｄを用いることにより、機能あるいは画像等の選択を直感的に行うことができる。また、十字キー１８Ｄの代替として、突起状あるいはダイヤル型のキーを、ポインティングデバイスとして備える携帯電話も、本発明の範囲である。
【００２８】
アンテナ２２は、無線電波を介して基地局と無線通信を行うときに、音声データ、文字データおよび画像データなどを送受信する。無線部２３は、受信時は、基地局からアンテナ２２を介して受信したデータを復調し、送信時は、通信制御部２４から送られてくる文字データおよび画像データなどを変調して増幅し、アンテナ２２を介して基地局に送信する。通信制御部２４は、無線部２３が復調した文字データおよび画像データなどの受信データを所定の通信プロトコルに基づいて制御部１１に送る。無線部２３、通信制御部２４を介して受信した相手先からの受信データは、メモリ１４に記憶される。
【００２９】
本発明で記憶手段とは、例えばメモリ１４であり、一時的に、または、恒久的に画像データを記憶している。
【００３０】
本発明で表示手段とは、例えば表示部１７であり、編集を行う第１画像データに基づく第１画像、または／および、編集が施された第２画像データに基づく第２画像を表示させる。更に、画像データに基づくサムネイル画像を表示手段が表示しても良い。
【００３１】
本発明で入力手段とは、例えば、マトリックス状に配置された数字・文字キー１８Ｆである。数字・文字キー１８Ｆにより、所定の機能とリンクされたアイコン、または、サムネイル画像を容易に選択することができる。
【００３２】
次に、図３以降を参照して、上記した携帯電話の動作を説明する。図３および図４は、本発明の携帯電話の動作を示すフローチャートであり、図５は当該フローチャートの各ステップでの表示部１７の表示状態を示す図である。
【００３３】
図３を参照して、ステップＳ１では、表示部１７にサムネイル画像の表示を行う。ここでは、図５（Ａ）に示す待ち受け画面から所定の操作をすることにより、複数の画像データに基づいたサムネイル画像３０が、表示部１７にマトリックス状に表示されている。そして、このサムネイル画像３０の配列は、数字・文字キー１８Ｆの配列に対応している。ここで、サムネイル画像とは、画像ファイルの一覧から素早く目的の原画像にアクセスするために使われる小さな見出し画像である。また、原画像としては、撮像部１２により撮影された画像、アンテナ２２を介して入手された画像、携帯電話１に元々保存されている画像等が考えられる。
【００３４】
ステップＳ２では、編集を行う第１画像データの選択を行う。上述したように、サムネイル画像３０の配列は、文字キー１８Ｆの配列に対応している。このことにより、例えば、数字の「９」に対応する数字・文字キー１８Ｆを操作して押下することにより、図５（Ｂ）の「雪だるま」を示すサムネイル画像を選択することができる。また、十字キー１８Ｄを用いてサムネイル画像３０の選択を行うこともできる。
【００３５】
ステップＳ３では、画像編集の指示が有るか否かの判断を行う。この指示は、図５（Ｂ）に示す「サブメニュー」の機能アイコン３３を選択して、図５（Ｃ）に示すようなサブメニューの項目を表示させ、画像編集の項目を選択することにより行うことができる。上記指示が有った場合（ステップＳ３のＹＥＳ）は、ステップＳ４に移行する。上記指示が無かった場合（ステップＳ３のＮＯ）は、ステップＳ１に戻る。また、ここで選択する画像が画像補正の未対応画像（例えば、カメラ撮影画像、またはその編集画像以外の画像）である場合に、画像編集できない旨のエラー表示を行い、サムネイル画像の表示に戻るようにしても良い。このことにより、不用意な著作権の侵害を回避することができる。
【００３６】
ステップＳ４では、図５（Ｆ）を参照して、選択画像の編集画面（画像編集メニュー）を表示させる。具体的には、編集作業を行う第１画像データに基づく第１画像３１が、表示部１７の上部左側に表示されている。そして、画像編集機能とリンクされたアイコン３４が、第１画像３１の下方にマトリックス状に表示されている。このアイコン３４の配列は３×３であり、数字・文字キー１８Ｆの配列に対応している。具体的には、画像回転、サイズ変更、画像補正、画像エフェクト、フェイススタンプ、画像スタンプ、文字スタンプ、および、パノラマ合成の機能とリンクされたアイコン３４が表示されている。
【００３７】
ここで、先行する画像編集後の画像が仮保存されていない場合には、「保存」の項目がグレーアウトして選択不可にしても良い。更に、左上側にサムネイル画像から選択した元画像である第１画像３１が表示され、右上側に編集後の画像である第２画像３２が表示されるが、編集後の画像が無い場合（画像データＡが仮保存されていない場合）には、右上側には何も表示しない。
【００３８】
更にまた、各アイコン３４は、リンクされた機能が連想できるようなアニメーションとして表示されても良い。例えば、画像回転とリンクされたアイコンを、回転する矢印で表示すると、アイコンにリンクされた機能を容易に識別することができる。また、暫定的に選択しているアイコン３４を、他のアイコン３４よりも大きく表示することで、選択の容易性を向上させることができる。
【００３９】
また、このステップでは、図５（Ｅ）を参照して、画像編集を行う機能を項目表示させることもできる。アイコン表示と項目表示との切り替えは、例えば、「クリアキー」や「カメラキー」で行うことができる。
【００４０】
ステップＳ５では、ステップＳ４で表示させた項目の選択を行う。そして、「取消」の機能が選択された場合（ステップＳ６のＹＥＳ）や、「編集終了」の機能が選択された場合（ステップＳ７のＹＥＳ）はＥＮＤに至る。また、「取消」の機能が選択されず（ステップＳ６のＮＯ）、「編集終了」の機能が選択されず（ステップＳ７のＮＯ）、編集種別の項目が選択された場合（ステップＳ８のＹＥＳ）はステップＳ９に移行する。そして、「取消」の機能が選択されず（ステップＳ６のＮＯ）、「編集終了」の機能が選択されず（ステップＳ７のＮＯ）、編集種別の項目が選択されなかった場合（ステップＳ８のＮＯ）はステップＳ４に戻る。
【００４１】
またステップ８では、メモリの空きが無い場合には、メモリに空きが無くデータの削除が必要な旨のエラー表示を行い、編集画面に戻るようにする。
【００４２】
ステップＳ９では、図５（Ｄ）を参照して、選択画像の編集画面（画像補正メニュー）を表示させる。具体的には、シャープネス、ソフト、感度アップ、鮮やか、保存、取り消し、１画面表示、親メニューの機能とリンクされたアイコンが表示されている。ここでは、一例として「画像補正メニュー」を選択したが、他の画像編集機能が選択されても良い。更に、画像補正メニューと同じように、画像補正メニューの各項目を項目表示させても良い。ここで、暫定的に選択されている機能が、表示部１７の下部に文字で表示されている。更に、左上側にサムネイル画像から選択した元画像である第１画像３１が表示され、右上側に編集後の画像である第２画像３２が表示されるが、編集後の画像が無い場合（画像データＡが仮保存されていない場合）には、右上側には何も表示しない。
【００４３】
ステップＳ１０では、前ステップで表示させた画像補正メニューから１つの項目を選択する。そして、「取消」機能が選択され（ステップＳ１１のＹＥＳ）、または、「編集終了」機能が選択された場合（ステップＳ１２のＹＥＳ）は、ＥＮＤに至る。また、「取消」機能が選択されず（ステップＳ１１のＮＯ）、「編集終了」の機能が選択されず（ステップＳ１２のＮＯ）、更に、「親メニュー」の項目が選択された場合（ステップＳ１３のＹＥＳ）はステップＳ４に戻る。そして、「取消」機能が選択されず（ステップＳ１１のＮＯ）、「編集終了」の機能が選択されず（ステップＳ１２のＮＯ）、「親メニュー」の項目が選択されず（ステップＳ１３のＮＯ）、更に、編集種別の項目が選択された場合（ステップＳ１４のＹＥＳ）はステップＳ１５に移行する。ここで、編集種別の項目が選択されなかった場合（ステップＳ１４のＮＯ）はステップＳ９に戻る。
【００４４】
ステップＳ１５では、ステップ１０にて選択した項目の編集を第１画像データに対して行うことで、編集が施された第２画像データを生成させる。この編集が行われている間は、編集中の旨のダイアログを表示させても良い。以下の説明では、最新の編集を行った第２画像データを画像データＡとして記す。
【００４５】
ステップＳ１６では、図５（Ｇ）を参照して、ステップ１５にて編集を行った第２画像データに基づく第２画像３２を表示部１７に拡大表示させる。第２画像データが表示部１７よりも大きい場合は、表示部１７よりも大きく第２画像３２を表示する。そして、十字キー１８Ｄを上下左右に操作することにより、表示部１７に部分的に表示される第２画像３２を移動させることができる。
【００４６】
ステップＳ１７では、クリアの指示が有るか否かの判断を行う。クリアの指示は、クリアキーを押下することにより行うことができる。クリアの指示が行われた場合（ステップＳ１７のＹＥＳ）は、ステップＳ１５での画像の編集は破棄されたことになり、ステップＳ９に戻る。クリアの指示が行われない場合（ステップＳ１７のＮＯ）は、ステップＳ１８に移行する。
【００４７】
ステップＳ１８では、決定の指示があるか否かの判断を行う。ここでの決定の指示は、図５（Ｇ）を参照して、決定機能とリンクされた機能アイコン３３を選択することにより行うことができる。決定の指示が有った場合（ステップＳ１８のＹＥＳ）はステップＳ１９に移行し、決定の指示が無い場合（ステップＳ１８のＮＯ）はステップＳ１６に戻る。
【００４８】
ステップＳ１９では、編集された第２画像データを画像データＡとしてメモリ１４に仮保存する。
【００４９】
ステップＳ２０では、図５（Ｈ）を参照して、選択画像の編集画面（画像補正メニュー）を表示させる。ここでは、編集前の画像である第１画像データに基づく第１画像３１と、編集が施された第２画像データに基づく第２画像３２とが並列して表示部１７の上部に表示されている。そして、表示部１７の下部には、画像の補正を行う機能とリンクされたアイコン３４がマトリックス状に３×３に配列して表示されている。更に、左上側にサムネイル画像から選択した元画像である第１画像３１が表示され、右上側に編集後の画像である第２画像３２が表示されるが、編集後の画像が無い場合（画像データＡが仮保存されていない場合）には、右上側には何も表示しない。
【００５０】
ステップＳ２１では、図５（Ｈ）を参照して、表示された項目の中から１つを選択する。保存の項目が選択された場合（ステップＳ２２のＹＥＳ）は、画像データＡを本保存する（ステップＳ２３）。保存の項目が選択されなかった場合（ステップＳ２２のＮＯ）は、ステップＳ２４に移行する。
【００５１】
ここで、ステップＳ２３で、画像データの保存が出来なかった場合には、保存できなかった旨のエラーメッセージの表示を行い、編集画面に戻るようにする。また、画像データの保存後またはエラー表示後に画像編集モードを終了するようにしても良い。
【００５２】
ステップＳ２４では、「編集終了」を選択するか否かの判断を行う。「編集終了」の選択は、図５（Ｈ）を参照して、「編集終了」機能とリンクされたアイコン３４を選択することにより行うことができる。編集終了が選択された場合（ステップＳ２４のＹＥＳ）はＡに移行してＥＮＤに至り、編集終了が選択されなかった場合（ステップＳ２４のＮＯ）はステップＳ２５に移行する。
【００５３】
ステップＳ２５では、「取消」を選択したか否かの判断を行う。「取り消し」の選択は、図５（Ｈ）を参照して、「取消」機能とリンクされたアイコン３４を選択することにより行うことができる。「取消」が選択された場合（ステップＳ２５のＹＥＳ）はステップＳ３４に移行し、「取消」が選択されなかった場合（ステップＳ２５のＮＯ）はステップＳ２６に移行する。
【００５４】
ここで、ステップＳ２５では、最初の画像編集の取り消しを行う場合には、最初の画像に戻る旨の確認表示を行っても良い。更に、連続編集または追加編集の取り消しを行う場合には、直前の編集が取り消される旨の確認表示を行うようにしても良い。
【００５５】
ステップＳ３４では、画像データＢを画像データＡに置換する。ここで、画像データＡは、最新の編集（例えばステップＳ１５）にて生成された画像データである。そして、画像データＢは、連続して画像の編集を行う場合に於いて、画像データＡを生成させる編集（ステップＳ１５）を行う前の編集により生成された画像データである。このように、画像データＢを画像データＡに置換することにより、画像データＢに基づく画像が第２画像として表示部１７に表示される。そしてステップＳ３５では、画像データＢの本保存を行い、「Ｂ」に移行して、ステップＳ９に至る。即ち、画像補正を行うメニューが表示されるステップに移行する。
【００５６】
ステップＳ２６では、「親メニュー」の選択を行ったか否かの判断を行う。「親メニュー」の選択は、図５（Ｈ）を参照して、「親メニュー」機能とリンクされたアイコン３４を選択することにより行うことができる。「親メニュー」が選択された場合（ステップＳ２６のＹＥＳ）は、「Ｃ」に移行して、画像編集画面を表示部１７に表示させる。従って、画像データＡに対して更なる画像の追加編集を行うことができる。「親メニュー」が選択されなかった場合（ステップＳ２６のＮＯ）は、ステップＳ２７に移行する。尚、「Ｃ」に移行した以降の詳細は図４を参照して説明する。
【００５７】
ステップＳ２７では編集種別の選択を行ったか否かの判断を行い、編集種別の項目が選択された場合（ステップＳ２７のＹＥＳ）は、再び画像の編集を行い（ステップＳ２８）、更に、編集を行った第２画像３２を表示部１７に拡大表示させる（ステップＳ２９）。そして、「クリア」の指示が無く（ステップＳ３０のＮＯ）、更に、決定の指示が有れば（ステップＳ３１のＹＥＳ）ステップＳ３２に移行する。クリアの指示が有った場合（ステップＳ３０）では、ステップＳ２０に移行して画像の補正メニューに戻る。そして、「クリア」の指示が無く（ステップＳ３０のＮＯ）、決定の指示が無い場合（ステップＳ３１のＮＯ）は、ステップＳ２９に移行する。尚、ここでのステップＳ２８からステップＳ３１までの動作は、上記したステップＳ１５からステップＳ１８までの動作と同様である。
【００５８】
また、ステップ２９では、連続的に編集を行っている場合には、拡大表示および拡大状態に於ける編集確認を省略しても良い。
【００５９】
ステップＳ３２では、画像データＡを画像データＢに置換する。即ち、ステップＳ１５の編集にて生成された画像データＡを、画像データＢに上書きして置換する。このことにより、複数回の編集を行った場合でも、一時的に記憶される画像データが占有するメモリの量を小さくすることができる。
【００６０】
ステップＳ３３では、編集画像を画像データＡとして仮保存する。即ち、ステップＳ２８の編集にて生成された画像データを、最新の編集により生成された画像である画像データＡとして仮保存する。そして、ステップＳ２０に移行して連続編集を行う。
【００６１】
次に、図４を参照して、上記「Ｃ」以降のステップの動作を説明する。具体的には、画像の補正を行った後に、親メニューを呼び出した後のステップを説明する。
【００６２】
ステップＳ３６では、図５（Ｊ）を参照して、選択画像の編集画面（画像編集メニュー）の表示を行う。ここでは、表示部１７の左上側にサムネイル画像から選択した元画像である第１画像３１が表示され、右上側に編集後の画像である第２画像３２が表示されるが、編集後の画像が無い場合（画像データＡが仮保存されていない場合）には、右上側には何も表示しない。
【００６３】
ステップＳ３７では項目の選択を行い、「保存」機能が選択された場合（ステップＳ３８のＹＥＳ）は、画像データＡを本保存する（ステップＳ３９）。ここで、ステップＳ３９で、画像データの保存が出来なかった場合には、保存できなかった旨のエラーメッセージの表示を行い、編集画面に戻るようにする。また、画像データの保存後またはエラー表示後に画像編集モードを終了するようにしても良い。
【００６４】
また、「保存」機能が選択されず（ステップＳ３８のＮＯ）、「編集終了」機能が選択されず（ステップＳ４０のＮＯ）、「取消」機能が選択されず（ステップＳ４１のＮＯ）、「編集種別」が選択された場合（ステップＳ４２のＹＥＳ）は、「Ｅ」に移行する。そして、ステップＳ４２で選択された項目の編集画面を表示部１７に表示させ、画像の編集を継続する。
【００６５】
ステップＳ４１で、「取り消し」を選択した場合（ステップＳ４１のＹＥＳ）は、メモリ１４に保存されている画像データＡをクリアし（ステップＳ４３）、更に、画像データＢもクリアする（ステップＳ４４）。そして、「Ｄ」に移行し、即ち、ステップＳ４に移行する。ここで、ステップＳ４１では、最初の画像に戻る旨の確認表示を行っても良い。
【００６６】
【発明の効果】
本発明では以下のような効果を奏することができる。
【００６７】
第１に、編集が施されていない第１画像データに基づく第１画像と、編集が施された第２画像データに基づく第２画像とを表示手段に同時に表示している。従って、編集を行った画像が、編集前の画像に対してどの程度変化したかを確認しつつ、編集作業を行うことができる。
【００６８】
第２に、編集を行うコマンドとリンクされたアイコンが表示手段に表示され、このアイコンの配列は、入力キー等の入力手段の配列に対応している。従って、より直感的にアイコンの選択を行うことができる。また、暫定的に選択されているアイコンがリンクするコマンドの機能を、文字で表示部に表示される。従って、選択中のコマンドの機能をより正確に使用者が知ることができる。
【図面の簡単な説明】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の電気的構成を説明する概略機能ブロック図である。
【図３】同携帯電話機のシーケンスを説明するフローチャートである。
【図４】同携帯電話機のシーケンスを説明するフローチャートである。
【図５】各フローチャートでの表示部の状態を示す図（Ａ）−（Ｊ）である。
【符号の説明】
１          カメラ付携帯電話機
２          スピーカー
３          マイク
４          背面キー
１１          制御部
１２          撮像部
１３          画像処理部
１４          メモリ
１６          表示ドライバ部
１７          表示部
２０          バックライト
１８          キー操作部
２４          アンテナ
２５          無線部
２６          通信制御部
３０          サムネイル画像
３１          第１画像
３２          第２画像
３３          機能アイコン
３４          アイコン
【図１】
2005026975.tif 000003
【図２】
2005026975.tif 000004
【図３】
2005026975.tif 000005
【図４】
2005026975.tif 000006
【図５】
2005026975.tif 000007